(57)【要約】【課題】偏光フィルターの枠体の被装着部が、レンズ鏡筒又は別の枠体の装着部に装着された状態で、偏光フィルターを空転可能とする。【解決手段】保護フィルター枠体２の装着部２１に、偏光フィルター１０が装着される側から第１の山形を有する雌ネジ部２２及び、第１の山形が形成されていない装着側非ネジ部２３を連続して設け、偏光フィルター枠体１の被装着部１１に、保護フィルター２０へ装着される側から、雌ネジ部２２の第１の山形に螺合する第２の山形を有し、装着側非ネジ部２３の軸方向長さに対応する長さの雄ネジ部１２及び、第２の山形が形成されないで、雌ネジ部２２の軸方向長さに対応する長さの被装着側非ネジ部１３を連続して設け、雄ネジ部１２を雌ネジ部２２に、雌ネジ部２２との螺合状態から解放されるまでねじ込み続け、装着側非ネジ部２３へ収容することで、偏光フィルター１０を空転可能とする。【選択図】図３
2014052507.tif 000002
【特許請求の範囲】
【請求項１】
偏光フィルター本体と、この偏光フィルター本体が嵌装される枠体とで構成される偏光フィルターの前記枠体の外周に形成された被装着部が、レンズ鏡筒又は別の枠体の内周に形成された装着部に装着され、この装着状態において前記偏光フィルターが空転可能となる偏光フィルターの取付構造であって、
前記装着部に、前記偏光フィルターが装着される側から第１の山形を有する雌ネジ部、及び、前記第１の山形が形成されていない装着側非ネジ部が連続して設けられ、
前記被装着部に、前記レンズ鏡筒又は前記別の枠体へ装着される側から、前記第１の山形に螺合する第２の山形を有し、かつ、前記装着側非ネジ部へ収容可能な軸方向長さを有する雄ネジ部、及び、前記第２の山形が形成されないで、前記雌ネジ部を収容可能な軸方向長さを有する被装着側非ネジ部が連続して設けられ、
前記雄ネジ部が前記雌ネジ部に、前記雌ネジ部との螺合状態から解放されるまでねじ込まれ続け、前記装着側非ネジ部へ収容されるとともに、前記雌ネジ部が前記被装着側非ネジ部へ収容されることにより、前記偏光フィルターが空転可能となる、
ことを特徴とする偏光フィルターの取付構造。
【請求項２】
前記雄ネジ部が前記装着側非ネジ部に収容されると、前記雄ネジ部の側端部が前記雌ネジ部の側端部と隣接する、
ことを特徴とする請求項１に記載の偏光フィルターの取付構造。
【発明の詳細な説明】
【技術分野】
【０００１】
本発明は、偏光フィルター本体と枠体とが嵌装されて構成される偏光フィルターの枠体に設けられた被装着部が、レンズ鏡筒又は別の枠体の装着部に装着された状態で、偏光フィルターが空転可能となる偏光フィルターの取付構造に関する。
【背景技術】
【０００２】
デジタルスチルカメラあるいはビデオカメラ等の光学機器では、撮影レンズの保護の目的、特殊な条件下での撮影に際して高品質の画像を得る目的等で、レンズ鏡筒の先端に設けられたアクセサリ取付用雌ネジへ、各種のフィルターが取り付けられて使用されることが多い。例えば、通常の撮影を行うときには、レンズが傷まないようにレンズ鏡筒の先端に保護フィルターが取り付けられる。また、例えば、水面下の被写体やガラス越しの被写体を撮影しようとするときには、保護フィルターを取り外した上で、レンズ鏡筒の先端に偏光フィルターが装着される。
【０００３】
この偏光フィルターに関し、下記特許文献１〜２に提案されるように様々な工夫が施されてきた。特許文献１に係る発明では、ネジ止めを緩めることで偏光フィルターを回転可能にする構成が、特許文献２に係る発明では、保護フィルターと重ねて偏光フィルターを取り付けることができ、かつ外周部のローレット加工により操作性を向上させた構成が、それぞれ提案されている。
【先行技術文献】
【特許文献】
【０００４】
【特許文献１】特許第３９７４２２０号公報
【特許文献２】特許第４０３０５２０号公報
【発明の概要】
【発明が解決しようとする課題】
【０００５】
しかしながら、特許文献１に記載された発明は、ネジ止めを緩めることによって偏光フィルターを操作するので、フィルターを通過する光の調整に時間がかかる恐れがあり、シャッターチャンスを逃すことがあり得る。特許文献２に記載された発明は、保護フィルターと重ねて偏光フィルターを取り付けたときに、偏光フィルターのみを操作することが可能な構成ではなく、操作性が必ずしも良いとはいえない。
【０００６】
本発明は、上記実情に鑑みて提案され、簡便な操作で、保護フィルターと重ねて偏光フィルターを取り付けることができ、かつ、フィルターを通過する光の調整に時間を要せず、速やかに望ましい偏光状態を作り出すことが可能な偏光フィルター枠体取付構造を提供することを目的とする。
【課題を解決するための手段】
【０００７】
上記目的を達成するため、本発明は、偏光フィルター本体と、この偏光フィルター本体が嵌装される枠体とで構成される偏光フィルターの前記枠体の外周に形成された被装着部が、レンズ鏡筒又は別の枠体の内周に形成された装着部に装着され、この装着状態において前記偏光フィルターが空転可能となる偏光フィルター取付構造であって、前記装着部に、前記偏光フィルターが装着される側から第１の山形を有する雌ネジ部、及び、前記第１の山形が形成されていない装着側非ネジ部が連続して設けられ、前記被装着部に、前記レンズ鏡筒又は前記別の枠体へ装着される側から、前記第１の山形に螺合する第２の山形を有し、かつ、前記装着側非ネジ部へ収容可能な軸方向長さを有する雄ネジ部、及び、前記第２の山形が形成されないで、前記雌ネジ部を収容可能な軸方向長さを有する被装着側非ネジ部が連続して設けられ、前記雄ネジ部が前記雌ネジ部に、前記雌ネジ部との螺合状態から解放されるまでねじ込まれ続け、前記装着側非ネジ部へ収容されるとともに、前記雌ネジ部が前記被装着側非ネジ部へ収容されることにより、前記偏光フィルターが空転可能となることを特徴とするものである。
【０００８】
特に、上記偏光フィルター取付構造において、雄ネジ部が装着側非ネジ部に収容されると、雄ネジ部の側端部が雌ネジ部の側端部と隣接する構成であることが好ましい。
【発明の効果】
【０００９】
本発明によれば、偏光フィルターを構成するフィルター枠体の雄ネジ部を、レンズ鏡筒又は別の枠体の雌ネジ部へ、雌ネジ部との螺合状態から解放されるまでねじ込み続けるという操作のみにより、偏光フィルターがレンズ鏡筒又は別の枠体に装着された状態において空転可能とすることができる。偏光フィルターが空転可能であるので、例えば、偏光フィルターを１／４回転する等して、偏光フィルターを通過する光を調整し、水面下の被写体やガラス越しの被写体を高品質で撮影することができる。
【００１０】
したがって、偏光フィルターが装着される側から第１の山形を有する雌ネジ部、及び、第１の山形が形成されていない装着側非ネジ部が連続して設けられている別の枠体の装着部へ偏光フィルターを装着することができるので、例えば、保護フィルターを外して偏光フィルターを取り付けるといった操作を不要とすることができる。もちろん、第１の山形を有する雌ネジ部、及び、第１の山形が形成されていない装着側非ネジ部が連続して設けられているアクセサリ取付用雌ネジ（レンズ鏡筒の先端）へも簡便に取り付けることができる。なお、空転させた偏光フィルターを元の位置に戻せばもちろん、通常の撮影をすることができる。
【００１１】
そして、本発明に係る偏光フィルター取付構造では、雄ネジ部が装着側非ネジ部に収容されると、雄ネジ部の側端部が雌ネジ部の側端部と隣接する構成により、偏光フィルターをレンズ鏡筒又は別の枠体へ、ガタつきなく確実に取り付けることができ、偏光フィルターの空転操作を、さらに簡便に行うことができる。
【図面の簡単な説明】
【００１２】
【図１】本発明に係る一の偏光フィルター取付構造を適用して構築したフィルターユニットの斜視図である。
【図２】図１のフィルターユニットの分解斜視図である。
【図３】本発明に係る一の偏光フィルター取付構造の要部を断面で説明する要部断面説明図であって、（ａ）は偏光フィルターを保護フィルターに装着する前の状態を示し、（ｂ）は偏光フィルターを保護フィルターに装着している状態を示し、（ｃ）は偏光フィルターを保護フィルターに装着して完了した状態を示している。
【図４】本発明に係る他の偏光フィルター取付構造の要部を断面にして説明する要部断面説明図である。
【発明を実施するための形態】
【００１３】
以下、本発明に係る偏光フィルター取付構造の一実施形態を図面とともに詳述する。この一実施形態では、１つの例示として本発明に係る偏光フィルター取付構造を適用して構築したフィルターユニットが説明されているが、本発明は、このフィルターユニットの構成に限定されるものではない。なお、偏光フィルターとは、例えば、ガラスとガラスとの間に偏光膜が挟み込まれて構成され、特定の偏光方向を持った光を遮断し、それ以外の偏光特性を有する光を通過させる光のフィルターの役目を果たすものをいう。
【００１４】
本発明に係る偏光フィルター取付構造を適用して構築したフィルターユニット１００は、図１及び図２に示すように、偏光フィルター本体１Ａと、この偏光フィルター本体１Ａが嵌装されるリング状の偏光フィルター枠体１とで構成される偏光フィルター１０及び、保護フィルター本体２Ａと、リング状で、この保護フィルター本体２Ａが嵌装される別の枠体としての保護フィルター枠体２とで構成される保護フィルター２０からなる。本発明に係る偏光フィルター取付構造により、偏光フィルター１０は、保護フィルター２０に装着された状態において、保護フィルター２０に対して空転可能となる。
【００１５】
図３に示すように、保護フィルター枠体２の内周であって偏光フィルター１０が装着される側には、偏光フィルター１０が装着されるための装着部２１が形成されている。この装着部２１には、偏光フィルター１０が装着される側から第１の山形を有する雌ネジ部２２、及び、第１の山形が形成されていない装着側非ネジ部２３が連続して設けられている。
【００１６】
また、保護フィルター枠体２の外周であって偏光フィルター１０が装着されるのと反対側には、レンズ鏡筒の先端内径側に形成されている雌ネジに螺合する雄ネジ部２４が形成されている。保護フィルター枠体２の内周には、保護フィルター本体２Ａが嵌装される本体嵌装部２５が設けられている。
【００１７】
一方、偏光フィルター１０は、偏光フィルター枠体１の外周であって保護フィルター２０へ装着される側に、保護フィルター２０へ装着されるための被装着部１１が形成されている。被装着部１１は、保護フィルター２０へ装着される側から、雌ネジ部２２の第１の山形に螺合する第２の山形が形成され、かつ、装着側非ネジ部２３の軸方向長さに対応して装着側非ネジ部２３へ収容可能な軸方向長さを有する雄ネジ部１２、及び、第２の山形が形成されないで、かつ、雌ネジ部２２の軸方向長さに対応して雌ネジ部２２を収容可能な軸方向長さを有する被装着側非ネジ部１３が連続して設けられている。
【００１８】
また、偏光フィルター枠体１の外周であって偏光フィルター１０が装着されるのと反対側には、他の枠体との螺合を可能とする雌ネジ部１４が形成されている。偏光フィルター枠体１の内周には、偏光フィルター本体１Ａが嵌装される本体嵌装部１５が設けられている。
【００１９】
ここで、偏光フィルター１０は、上述したように、雄ネジ部１２の軸方向長さが装着側非ネジ部２３の軸方向長さに対応し、雄ネジ部１２が装着側非ネジ部２３へ収容可能となる構成であり、被装着側非ネジ部１３の軸方向長さが雌ネジ部２２の軸方向長さに対応し、被装着側非ネジ部１３で雌ネジ部２２を収容可能な構成である。この構成により、雄ネジ部１２が装着側非ネジ部２３に収容されると同時に、雌ネジ部２２が被装着側非ネジ部１３に収容されて、偏光フィルター１０は保護フィルター２０にガタつくことなく装着される。
【００２０】
特に、図３（ｃ）に示すように、雄ネジ部１２と装着側非ネジ部２３との軸方向長さ、雌ネジ部２２と被装着側非ネジ部１３との軸方向長さを厳密に対応させる構成とすることにより、雄ネジ部１２が装着側非ネジ部２３に収容され、かつ、雌ネジ部２２が被装着側非ネジ部１３に収容されたとき、雄ネジ部１２の側端部１２１が雌ネジ部２２の側端部２２１と隙間なく隣接する形態となって、更にガタつきが抑制されて偏光フィルター１０は保護フィルター２０に装着される。なお、雄ネジ部１２の側端部１２１が雌ネジ部２２の側端部２２１と隙間なく隣接するとは、両側端部１２１，２２１が相互に応力なく触れ合う状態、又は、例えば、両側端部１２１，２２１の間に髪の毛１本でさえ入らないと表現されるような隣接状態等をいう。
【００２１】
図３（ａ）に示す状態の偏光フィルター１０及び保護フィルター２０からフィルターユニット１００を構成するには、図３（ｂ）に示すように、偏光フィルター１０を保護フィルター２０へねじ込み、さらに雄ネジ部１２と雌ネジ部２２とが螺合状態から解放されるまでねじ込み続けて、図３（ｃ）に示すように、偏光フィルター枠体１の被装着側非ネジ部１３に連続する壁部に保護フィルター２０の先端（雌ネジ部２２の偏光フィルター枠体１側）を当接させることで、雄ネジ部１２が装着側非ネジ部２３へ収容され、同時に雌ネジ部２２が被装着側非ネジ部１３へ収容されて、偏光フィルター１０が保護フィルター２０に装着され、フィルターユニット１００を構成することができる。このとき、偏光フィルター１０の雄ネジ部１２及び保護フィルター２０の雌ネジ部２２は互いに螺合する相手がいなくなるので、偏光フィルター１０は保護フィルター２０に対して空転可能となるのである。
【００２２】
なお、上記実施形態では、図３において、雄ネジ部１２、雌ネジ部２２共に、第１の山形、第２の山形として相互に螺合するネジの条数を同数とした構成が簡略化されて描かれているが、本発明は、このようなネジの条数を同数とする構成に限定されない。例えば、図４に、本発明に含まれる他の偏光フィルター取付構造（他の実施形態）として、雄ネジ部１２ａの軸方向長さが被装着側非ネジ部１３ａよりも短く、雄ネジ部１２ａ、雌ネジ部２２ａのネジ条数が異なる構成が例示されている。この構成において、偏光フィルター１０ａが保護フィルター２０ａへねじ込まれ、雄ネジ部１２ａが装着側非ネジ部２３ａ収容されると、偏光フィルター１０ａと保護フィルター２０ａとの装着状態で生じるガタつきが更に抑制されるため、本発明の好ましい形態といえる。ネジの条数は、１条でもよいが、偏光フィルターがねじ込まれたという手ごたえを得るようにするために、２条以上とすることができる。但し条数が多いと、偏光フィルターのねじ込みに手間が掛るので、２〜３条が好ましい。
【００２３】
すなわち、本発明は、偏光フィルターの雄ネジ部の軸方向長さが、保護フィルターの装着側非ネジ部の軸方向長さに対応し、雄ネジ部が装着側非ネジ部へ収容可能であり、偏光フィルターの被装着側非ネジ部の軸方向長さが、保護フィルターの雌ネジ部の軸方向長さに対応し、被装着側非ネジ部が雌ネジ部を収容可能な軸方向長さを有する構成である限り、偏光フィルターの雄ネジ部と保護フィルターの雌ネジ部とのネジの条数が異なる数の偏光フィルター取付構造を、その範囲に含むものである。
【００２４】
以上説明したように、本発明に係る偏光フィルター取付構造を適用して構築したフィルターユニット１００は、偏光フィルター１０を構成する偏光フィルター枠体１の雄ネジ部１２を、保護フィルター枠体２の雌ネジ部２２へ、雌ネジ部２２との螺合状態から解放されるまでねじ込み続けるという操作のみにより、偏光フィルター１０を保護フィルター２０に装着した状態において空転可能とすることができ、偏光フィルター１０を所定角度だけ回転する等し、偏光フィルター１０を通過する光を調整することで、簡便に水面下の被写体やガラス越しの被写体を高品質で撮影することができる。保護フィルター２０を取り外した上で、レンズ鏡筒の先端に偏光フィルター１０を取り付けるといった操作も不要とすることができる。
【００２５】
特に、雄ネジ部１２が装着側非ネジ部２３に収容されると、雄ネジ部１２の側端部１２１が雌ネジ部２２の側端部２２１と隣接する構成であるので、偏光フィルター１０を保護フィルター２０に取り付けた際に、偏光フィルター１０と保護フィルター２０との間でガタつきも生じず、偏光フィルター１０の空転操作は極めて簡便となる。
【００２６】
ここで、本発明に係る偏光フィルターの取付構造は、図示を省略したが、レンズ鏡筒の先端に形成されたアクセサリ取付用雌ネジに対しても、アクセサリ取付用雌ネジが、偏光フィルターの雄ネジ部の軸方向長さに対応し、雄ネジ部を収容可能な装着側非ネジ部及び、偏光フィルターの被装着側非ネジ部の軸方向長さに対応し、被装着側非ネジ部へ収容可能な雌ネジ部が連続して設けられている構成である限り、偏光フィルターを空転可能に取り付けることができる。偏光フィルターの雄ネジ部がアクセサリ取付用雌ネジの装着側非ネジ部に収容されると、雄ネジ部の側端部がアクセサリ取付用雌ネジの側端部と隣接する構成とすれば、偏光フィルターをレンズ鏡筒先端に取り付けた際のガタつきが更に抑制されるので好ましい構成となる。
【００２７】
以上、本発明を具現化した実施形態をいくつか例示したが、本発明は、特許請求の範囲に記載された事項を逸脱することがなければ、種々の設計変更を行うことが可能である。例えば、偏光フィルター枠体、その他の枠体には一般的に、材質にアルミ合金が採用されるが、その他の金属のほか、合成樹脂等を材質としたものであってもよい。
【００２８】
また、偏光フィルター本体には、公知の偏光フィルター材を採用すればよく、保護フィルター、レンズ鏡筒についても上述した構成を具備する限り、公知の材料を採用することができる。そして、本発明は、偏光フィルターの雄ネジ部がレンズ鏡筒又は別の各種フィルターの枠体に形成された装着側非ネジ部に収容され、偏光フィルターの被装着側非ネジ部にレンズ鏡筒又は別の各種フィルターの枠体に形成された雌ネジ部に収容され、かつ、雄ネジ部及び雌ネジ部の両側端部が隙間なく隣接することで、偏光フィルターがガタつくことなくレンズ鏡筒又は別の各種フィルターに装着され、簡便に空転操作が行えて便宜な偏光フィルターの取付構造を達成することができる。
【符号の説明】
【００２９】
１００・フィルターユニット
１０・・偏光フィルター
１・・・偏光フィルター枠体（枠体）
１１・・被装着部
１２・・雄ネジ部
１２１・雄ネジ部の側端部
１３・・被装着側非ネジ部
１４・・雌ネジ部
１５・・本体嵌装部
１Ａ・・偏光フィルター本体
２０・・保護フィルター
２・・・保護フィルター枠体（別の枠体）
２１・・被装着部
２２・・雌ネジ部
２２１・雌ネジ部の側端部
２３・・装着側非ネジ部
２４・・雄ネジ部
２５・・本体嵌装部
２Ａ・・保護フィルター本体
１０ａ・偏光フィルター（他の実施形態）
１２ａ・ 雄ネジ部（他の実施形態）
１３ａ・被装着側非ネジ部（他の実施形態）
２０ａ・保護フィルター（他の実施形態）
２２ａ・雌ネジ部（他の実施形態）
２３ａ・装着側非ネジ部（他の実施形態）
【図１】
2014052507.tif 000003
【図２】
2014052507.tif 000004
【図３】
2014052507.tif 000005
【図４】
2014052507.tif 000006